(57)【要約】【課題】切りタイマ終了後も室内の空調負荷に応じて運転を行うようにすることで、省エネ性の向上と、利用者に快適な空調を提供する。【解決手段】人体付近温検出手段２と、外気温度検出手段３と、空気調和機の吸込温度を検知する吸込温度検出手段４と、目標室温を設定する温度設定手段５と、タイマ設定値に達した時に空気調和機の運転を停止する切りタイマ手段１と、屋内の空気を屋外に排出して屋外の空気を屋内に導入する換気手段６と、外気の汚れ度合いを判定する汚れ度合い検知手段を備え、切タイマ動作後に人体付近の温度、屋外温度の状況、外気の汚れ度合いにより、空気調和機を冷房運転もしくは換気運転もしくは停止継続を行うようにしたものである。これによって、空調負荷が大きい時には追加で冷房運転を行い、利用者が不快感なく就寝でき、また空調負荷が小さい時には屋外空気を導入することで無駄なエネルギーの消費を防止可能となる。【選択図】図１
2006118790.tif 000002
【特許請求の範囲】
【請求項１】
人体付近の温度を検出する人体付近温検出手段と、屋外の温度を検知する外気温度検出手段と、空気調和機の吸込温度を検知する吸込温度検出手段と、空気調和機の制御目標室温を設定する温度設定手段と、屋外空気の汚れ度合いを判定する汚れ度合い検出手段と、運転時間をタイマ設定値と、比較しタイマ設定値に達した時に空気調和機の運転を停止する切りタイマ手段と、屋内の空気を屋外に排出しかつ屋外の空気を屋内に導入する換気手段を備え、切タイマ動作終了後の運転モードとして、人体付近の温度が第１の所定温度より高く、かつ屋外温度が第２の所定温度より低くかつ屋外空気の汚れ度合いが低い場合、前記換気手段により屋外の空気を屋内に導入し、人体付近の温度が第１の所定温度より高く、かつ屋外温度が第２の所定温度より低くかつ屋外空気の汚れ度合いが高い場合、又は人体付近の温度が第１の所定温度より高くかつ屋外温度が第２の所定温度より高い場合は、換気は行わずに冷房又は除湿運転を行う制御手段を有することを特徴とする空気調和機。
【発明の詳細な説明】
【技術分野】
【０００１】
本発明は切りタイマ機能を有する空気調和機の快適制御に関するものである。
【背景技術】
【０００２】
図3は従来の空気調和機の一般的な構成を示す制御ブロック図である。従来、この種の技術は切りタイマが終了しても一定時間強制的に運転し、その後ドライ或いは送風運転を更に一定時間継続する制御としている（例えば、特許文献１参照）。
【特許文献１】特開昭５５−１０２８５２号公報
【発明の開示】
【発明が解決しようとする課題】
【０００３】
しかしながら、前記従来の構成では切りタイマ終了後も必ず一定時間タイマ終了前の運転を継続し、更にその後、冷房或いは送風運転を一定時間実施する構成なので、室内の空調負荷が低下し空気調和機の運転が不要になったにも係わらず空気調和機が運転を継続するため、近年話題となっている省エネ性の観点において、又利用者に風を当て続けるため健康上の問題において課題を有していた。
【０００４】
本発明は、前記従来の課題を解決するもので、切りタイマ終了後において屋内外の空調負荷と屋外空気の汚れ度合いによっては追加の冷房または除湿運転を行わずに、屋内の空気を屋外に排出し屋外の空気を屋内に導入することで、省エネ性の向上と利用者に快適な空調を提供することを目的とする。
【課題を解決するための手段】
【０００５】
前記従来の課題を解決するために、本発明の空気調和機は、人体付近の温度を検出する人体付近温検出手段と、屋外の温度を検知する外気温度検出手段と、空気調和機の吸込温度を検知する吸込温度検出手段と、空気調和機の制御目標室温を設定する温度設定手段と、屋外空気の汚れ度合いを判定する汚れ度合い検出手段と、運転時間をタイマ設定値と、比較しタイマ設定値に達した時に空気調和機の運転を停止する切りタイマ手段と、屋内の空気を屋外に排出しかつ屋外の空気を屋内に導入する換気手段を備え、切タイマ動作終了後の運転モードとして、人体付近の温度が第１の所定温度より高く、かつ屋外温度が第２の所定温度より低くかつ屋外空気の汚れ度合いが低い場合、前記換気手段により屋外の空気を屋内に導入し、人体付近の温度が第１の所定温度より高く、かつ屋外温度が第２の所定温度より低くかつ屋外空気の汚れ度合いが高い場合、又は人体付近の温度が第１の所定温度より高くかつ屋外温度が第２の所定温度より高い場合は、換気は行わずに冷房又は除湿運転を行う制御手段を設けたものである。
【０００６】
これによって、空調負荷が大きいまたは屋外空気の汚れ度合いが高い時には追加で運転を行い、利用者が不快感なく就寝できる。また空調負荷が小さい時には余分な運転をせず、温度の高い屋内空気を排出し、屋外より温度が低くかつ汚れ度合いの低い空気を導入することで快適性の向上を図ると共に、無駄なエネルギーの消費を防止することができる。
【発明の効果】
【０００７】
本発明の空気調和機は、空調負荷が大きい時には追加で運転を行い、利用者が不快感なく就寝できる。また空調負荷が小さい時には余分な冷房運転をせず、温度の高い屋内空気を排出し、屋外より温度が低くかつ汚れ度合いの低い空気を導入することで快適性の向上を図ると共に、無駄なエネルギーの消費を防止することができる。
【発明を実施するための最良の形態】
【０００８】
本発明は、人体付近の温度を検出する人体付近温度検出手段と、屋外の温度を検知する外気温度検出手段と、空気調和機の吸込温度を検知する吸込温度検出手段と、室温を設定する温度設定手段と、運転時間をタイマ設定値と比較しタイマ設定値に達した時に空気調和機の運転を停止する切りタイマ手段と、室外の空気を室内に導入する換気手段とを備え、切タイマ動作終了後に、人体付近の温度が第１の所定温度より高く、屋外温度が第２の所定温度より低くかつ屋外空気の汚れ度合いが低い場合、換気手段により屋内の空気を屋外に排出して屋外の空気を屋内に導入する。また、人体付近の温度が第１の所定温度より高く、かつ屋外温度が第２の所定温度より低く、かつ屋外空気の汚れ度合いが高い場合、または人体付近の温度が第１の所定温度より高く、屋外温度が第２の所定温度より高い場合は、冷房運転を行うようにしたものである。
【０００９】
これによって、空調負荷が大きい時には追加で運転を行い、利用者が不快感なく就寝できる。また空調負荷が小さい時には余分な冷房運転をせず換気運転をすることで、快適性を損なうことなく無駄なエネルギーの消費を防止可能となる。
【００１０】
以下、本発明の実施の形態について、図面を参照しながら説明する。なお、この実施の形態によって本発明が限定されるものではない。
【００１１】
（実施の形態１）
図１は、本発明の実施の形態１における空気調和機の制御ブロック図を示すものである。図１において、切タイマ手段はタイマ設定値と運転時間の比較を常に行い、タイマ設定時間に達した場合制御手段に空気調和機の停止信号を送信する。この停止信号の受信後に、人体付近温検出手段、外気温度検出手段、汚れ度合い検出手段の各検出値に従って空気調和機の動作を決定する。以上のように構成された空気調和機について、以下その動作、作用を説明する。
【００１２】
図２は本発明の実施の形態１における空気調和機の動作を示すフローチャートで、ステップ１、ステップ２にて切タイマ時間の判定を実施する。切タイマ時間に達した場合はステップ３でエアコンを停止させる。ステップ４では人体付近温度の検出を行う。この時、人体付近の温度が所定温度Ｔ１℃よりも低い場合はエアコンを運転する必要がないため、ステップ６で切りタイマ動作による停止状態を継続したままとする。人体付近の温度が所定温度Ｔ１℃より高い場合はステップ５にて外気温度の判定を行う。この時、外気温度が所定温度Ｔ２℃より高い場合は、切りタイマ動作後において空調負荷大と判定しステップ７でエアコンを冷房運転させる。また、外気温度が所定温度Ｔ２℃より低い場合はステップ８で外気の汚れ度合いを判定する。外気の汚れ度合いが高い場合はステップ７で冷房運転を行い、外気の汚れ度合いが低い場合はステップ９にてエアコンを換気運転させる。これにより、外気の汚れ度合いが低い場合においては、屋内の高温空気を屋外に排出し、屋外の低温空気を屋内に導入することで室温を下げることができる。
【００１３】
以上のように、本実施の形態においては切タイマ動作終了後の空気調和機の運転モードとして、人体付近の温度が低い場合には停止状態を継続し、人体付近の温度が高く、外気温度も高い空調負荷状態においては追加で冷房運転をおこなうことで、利用者が不快感なく就寝できる。また人体付近の温度が高く、外気温度が低く、かつ外気の汚れ度合いが低い場合は換気運転を行うことで、特に夏場において切りタイマ動作後のエアコン停止中での個室の壁面、天井からの輻射熱による室温上昇の場合でも冷房運転を行うことなく室温を下げることができ快適な空調を実現でき、また省エネルギーの点からも無駄なエネルギーの消費を防止する等の効果を有するものである。
【産業上の利用可能性】
【００１４】
以上のように、本発明にかかる空気調和機は、切りタイマ動作後の運転モードについて空調負荷が大きい時には追加で冷房運転を行い、利用者が不快感なく就寝できる。また空調負荷が小さい時には冷房運転ではなく、換気運転を行うことで、余分な冷房運転をせず無駄なエネルギーの消費を防止できるので、切りタイマ機能を有する空気調和機の快適制御の用途に有用である。
【図面の簡単な説明】
【００１５】
【図１】本発明の実施の形態１における空気調和機の制御ブロック図
【図２】本発明の実施の形態１における空気調和機の動作を示すフローチャート
【図３】従来の空気調和機の制御ブロック図
【符号の説明】
【００１６】
１  切りタイマ手段
２  人体付近温度検出手段
３  外気温度検出手段
４  吸込み温度検出手段
５  温度設定手段
６  換気手段
７  汚れ度合い検出手段
８  制御手段
【図１】
2006118790.tif 000003
【図２】
2006118790.tif 000004
【図３】
2006118790.tif 000005